(57)【要約】【課題】本発明では、簡便に必要な時に遅延情報を表示することができるシステムを提供することを課題とする。【解決手段】本発明は、区間情報を有するＩＣ乗車券と、ＩＣ乗車券から区間情報を取得し、取得した区間情報を管理サーバに送信する手段を有し、かつ、管理サーバから遅延情報を取得した際に遅延情報を表示する表示手段を備える携帯通信端末と、遅延発生時刻、遅延区間、遅延時間を含む遅延情報を有する遅延情報データベースと、携帯通信端末から取得した区間情報に対応する遅延情報の有無を遅延情報データベースで確認する手段を有し、遅延情報がある場合、遅延情報データベースから遅延情報を取得する手段、取得した遅延情報を携帯通信端末に送信する手段を有する管理サーバとを有する遅延証明表示システムとする。【選択図】図１
2015090517.tif 000002
【特許請求の範囲】
【請求項１】
ＩＣ乗車券と、表示機能を有する携帯通信端末と、管理サーバと、遅延情報データベースを有する遅延証明表示システムであって、
ＩＣ乗車券は、区間情報を記録する記録部を有し、
携帯通信端末は、ＩＣ乗車券から区間情報を取得し、取得した区間情報を管理サーバに送信する手段を有し、かつ、管理サーバから遅延情報を取得した際に遅延情報を表示する表示手段を備え、
遅延情報データベースは、遅延発生時刻、遅延区間、遅延時間を含む遅延情報を記録する記録手段を有し、
管理サーバは、携帯通信端末から取得した区間情報に対応する遅延情報の有無を遅延情報データベースで確認する手段を有し、
遅延情報がある場合、遅延情報データベースから遅延情報を取得する手段、取得した遅延情報を携帯通信端末に送信する手段を有する、
ことを特徴とする遅延情報表示システム。
【請求項２】
ＩＣ乗車券は、定期券であり、区間情報が定期区間情報であることを特徴とする請求項１に記載の遅延情報表示システム。
【請求項３】
前記管理サーバは、遅延情報がある場合、区間情報の経路に要する推定所要時間情報を生成し、
かつ推定所要時間情報を携帯通信端末に送信する手段を有することを特徴とする請求項１または２に記載の遅延情報表示システム。
【請求項４】
前記管理サーバが、遅延情報がある場合、代替経路を検索する検索手段を有し、
かつ代替経路を携帯通信端末に送信する手段を有することを特徴とする請求項１〜３のいずれかに記載の遅延情報表示システム。
【請求項５】
前記携帯通信端末は、遅延情報と代替経路を表示する手段を有することを特徴とする請求項４に記載の遅延情報表示システム。
【請求項６】
前記管理サーバは、代替経路の経路に要する代替経路推定所要時間情報を生成し、
かつ代替経路推定所要時間情報を携帯通信端末に送信する手段を有することを特徴とする請求項４または５に記載の遅延情報表示システム。
【請求項７】
前記携帯通信端末は、遅延情報と代替経路を表示する手段を有することを特徴とする請求項４〜６のいずれかに記載の遅延情報表示システム。
【請求項８】
前記管理サーバは、遅延情報データベースから遅延解消情報を取得した際に携帯通信端末に遅延解消情報を送信する手段を有し、
前記携帯通信端末は、取得した遅延解消情報を表示する手段を有することを特徴とする請求項１〜７のいずれかに記載の遅延情報表示システム。
【請求項９】
表示機能を有し該表示機能により遅延証明を表示可能な携帯通信端末であって、
区間情報を含む情報が記録されたＩＣ乗車券から区間情報を読取る手段と、
区間情報を管理サーバに送信する手段と、
管理サーバから遅延情報を受信する手段と、
取得した遅延情報を表示する手段を有することを特徴とする携帯通信端末。
【請求項１０】
ＩＣ乗車券は、定期券であり、区間情報が定期区間情報であることを特徴とする請求項９に記載の携帯通信端末。
【発明の詳細な説明】
【技術分野】
【０００１】
本発明は、ＩＣ乗車券を用いた遅延情報表示システムに関する。
【背景技術】
【０００２】
従来、乗車している路線で列車の遅延が生じると、駅の電光掲示板やネットの交通情報サイトで遅延情報が表示される。
しかし、遅延が生じている区間の近くの駅にいないと電光掲示板を確認することができず、また、ネットでの情報確認の場合は交通情報サイトを見に行かなければ確認できない、という煩雑さがあった。
【０００３】
上記煩雑さを解消する手段として、特許文献１、特許文献２に記載されているように、予め定期券の情報とメールアドレス等を登録しておき、遅延が生じた際に遅延情報が通知されるシステムが知られている。
しかし、上記システムでは、電車に乗る予定がない時でも遅延情報が配信され、必要な時にだけ情報が欲しい人にとっては煩わしい。
【先行技術文献】
【特許文献】
【０００４】
【特許文献１】特開２００３−１２３０９８号公報
【特許文献２】特開２００７−２６４５８号公報
【発明の概要】
【発明が解決しようとする課題】
【０００５】
本発明では、簡便に必要な時に遅延情報を表示することができるシステムを提供することを課題とする。
【課題を解決するための手段】
【０００６】
本発明は、ＩＣ乗車券と、表示機能を有する携帯通信端末と、管理サーバと、遅延情報データベースを有する遅延証明表示システムであって、ＩＣ乗車券は、区間情報を記録する記録部を有し、携帯通信端末は、ＩＣ乗車券から区間情報を取得し、取得した区間情報を管理サーバに送信する手段を有し、かつ、管理サーバから遅延情報を取得した際に遅延情報を表示する表示手段を備え、遅延情報データベースは、遅延発生時刻、遅延区間、遅延時間を含む遅延情報を記録する記録手段を有し、管理サーバは、携帯通信端末から取得した区間情報に対応する遅延情報の有無を遅延情報データベースで確認する手段を有し、遅延情報がある場合、遅延情報データベースから遅延情報を取得する手段、取得した遅延情報を携帯通信端末に送信する手段を有する、ことを特徴とする遅延情報表示システムとする。
【０００７】
また、ＩＣ乗車券は、定期券であり、区間情報が定期区間情報であることを特徴とする。
【０００８】
また、前記管理サーバは、遅延情報がある場合、区間情報の経路に要する推定所要時間情報を生成し、かつ推定所要時間情報を携帯通信端末に送信する手段を有することを特徴とする。
【０００９】
また、前記管理サーバが、遅延情報がある場合、代替経路を検索する検索手段を有し、かつ代替経路を携帯通信端末に送信する手段を有することを特徴とする。
【００１０】
また、前記携帯通信端末は、遅延情報と代替経路を表示する手段を有することを特徴とする。
【００１１】
また、前記管理サーバは、代替経路の経路に要する代替経路推定所要時間情報を生成し、
かつ代替経路推定所要時間情報を携帯通信端末に送信する手段を有することを特徴とする。
【００１２】
また、前記携帯通信端末は、遅延情報と代替経路を表示する手段を有することを特徴とする。
【００１３】
また、前記管理サーバは、遅延情報データベースから遅延解消情報を取得した際に携帯通信端末に遅延解消情報を送信する手段を有し、前記携帯通信端末は、取得した遅延解消情報を表示する手段を有することを特徴とする。
【００１４】
またさらに、表示機能を有し該表示機能により遅延証明を表示可能な携帯通信端末であって、区間情報を含む情報が記録されたＩＣ乗車券から区間情報を読取る手段と、区間情報を管理サーバに送信する手段と、管理サーバから遅延情報を受信する手段と、取得した遅延情報を表示する手段を有することを特徴とする携帯通信端末とする。
【００１５】
また、ＩＣ乗車券は、定期券であり、区間情報が定期区間情報であることを特徴とする。
【発明の効果】
【００１６】
本発明では、用紙を必要とせず、簡便に必要な時に遅延証明を表示することができるシステム及び方法を提供することができる。
【図面の簡単な説明】
【００１７】
【図１】本発明の遅延情報表示システムの一構成例を示すブロック図である。
【図２】本発明の遅延情報表示システムに用いる携帯通信端末の一構成例を示すブロック図である。
【図３】本発明の遅延情報表示システムに用いる携帯通信端末に記憶されるデータの一例を示す説明図である。
【図４】本発明の遅延情報表示システムに用いるＩＣ乗車券に記憶されるデータの一例を示す説明図である。
【図５】本発明の遅延情報表示システムに用いる管理サーバに記憶されるデータの一例を示す説明図である。
【図６】本発明の遅延証明書の一例を示す説明図である。
【図７】本発明の遅延情報表示システムに用いる遅延情報データベースに記憶されるデータの一例を示す説明図である。
【図８】本発明の遅延情報表示システムの流れの一例を示すフロー図である。
【発明を実施するための形態】
【００１８】
以下図面を参考に詳細に説明する。
図１は本発明の遅延証明書発券システムの一構成例を示すブロック図である。
本発明では、区間情報を有するＩＣ乗車券と、遅延情報データベースと遅延情報データベースに接続された管理サーバーと、管理サーバーに接続されＩＣ乗車券の区間情報を取得可能な携帯通信端末とを用いる。
なお、ＩＣ乗車券は携帯通信端末内に内蔵されていてもよい。
【００１９】
携帯通信端末は、制御部、通信部、表示部、記憶部、アプリケーション実行部等を備え、例えばスマートフォン等の携帯電話端末や、タブレットパソコン等の携帯端末を用いることができる。
制御部は、通信や表示、アプリケーションの実行を制御する。
通信部は、管理サーバーとデータの送受信を行う。具体的には、ＩＣ乗車券から取得した区間情報を管理サーバに送信、管理サーバから遅延情報を受信することができる。送受信は携帯電話の通信網等、既存の通信網を用いることができる。
表示部は、管理サーバーから取得した遅延情報などのデータを表示する。
【００２０】
記憶部は、アプリケーションに関するデータやＩＣ乗車券から取得した区間情報、管理サーバーから取得した遅延情報等を記憶する。区間情報は、図３に示す一例のように、ＩＣ乗車券の識別番号（乗車券ＩＤ）と区間の両端の駅、路線、経由を記録する。なお、その区間の経路（路線）が１つしかなければ省略してもよい。さらに鉄道会社などの情報を加えてもよい。また、ＩＣ乗車券が定期券であれば、氏名、年齢などの所有者情報を含む情報を合わせて記憶させておくこともできる。
また、さらに一次記憶部を備えることができる。
【００２１】
また、さらにＳＩＭカードを備えても良い。ＳＩＭカードには携帯電話に用いられるセキュリティの高いＩＣカードであり、携帯電話の電話番号を特定するための固有のＩＤ番号などが記録されている。
ＩＣ乗車券はこのＳＩＭカード内に格納されていても良い。ＳＩＭカード内にＩＣ乗車券が格納されている場合、携帯通信端末内の端子、配線を通じてＳＩＭカードから区間情報を取得することができる。
また、アプリケーションに関するデータをＳＩＭカードに記憶させておくこともできる。
【００２２】
また、近接通信部を設けても良い。ＩＣ乗車券がＩＣカード乗車券である場合、ＩＣカード内の区間情報を近接通信部を介して取得することができる。
【００２３】
また、携帯通信端末は、各種アプリケーションを実行するアプリケーション実行部を備える。アプリケーション実行部では、区間情報取得、遅延情報取得、遅延情報表示などを実行することができる。
アプリケーション実行部は、制御部により記憶部等に記憶されるアプリケーションプログラム、アプリケーションデータに従った制御をすることで実行される。
なお、アプリケーションプログラム、アプリケーションデータは、ＳＩＭカード内の記憶部に記憶されておいても良い。
【００２４】
図４にＩＣ乗車券に記録されている情報の一例を示す。
ＩＣ乗車券には区間情報として区間の両端の駅、路線、経由等が記憶されている。なお、その区間の経路（路線）が１つしかなければ省略してもよい。さらに鉄道会社などの情報を加えてもよい。区間情報としては乗車履歴を用いても良い。複数の乗車履歴がある場合選択できるようにしてもよい。
また、ＩＣ乗車券が定期券であれば、氏名、年齢などの所有者情報を含む情報を合わせて記憶させておくこともできる。さらにＩＣ乗車券の識別番号（乗車券ＩＤ）が記録されていても良い。なお、ＩＣ乗車券が定期券の場合、定期区間が区間情報となる。
【００２５】
管理サーバは、制御部、通信部、記憶部などを備える。
制御部は通信や各種動作の制御を行う。通信部は、携帯通信端末との通信や、遅延情報データベースとの通信を行う。記憶部は後述のように各種データを記憶する。
【００２６】
管理サーバは、携帯通信端末から取得した区間情報から遅延情報データベースに当該区間情報に関する遅延情報が登録されている場合、データベースから取得する。なお、携帯通信端末に送信、表示可能とするために遅延情報を加工してもよい。
取得した遅延情報は携帯通信端末に送信する。
遅延情報が登録されていない場合は、遅延情報なし、というデータを携帯通信端末に送信してもよい。また、何も送信しないことで遅延がない旨を示してもよい。
【００２７】
また、遅延情報がある場合、ＩＣ乗車券の区間情報の経路で乗車した場合に要する推定所要時間を算出（生成）してもよい。推定所要時間は、例えば通常その経路に要する時間に遅延情報データベースから取得した遅延時間を足した時間を用いることができる。
【００２８】
また、代替経路検索手段を備えていても良い。
代替経路は、ＩＣ乗車券の区間情報の経路以外の経路を検索することで代替経路として得ることができる。
また合わせて代替手段の経路で乗車した場合に要する代替経路推定所要時間を算出することができる。
【００２９】
図５に管理サーバに記録されるデータの一例を示す。管理サーバでは、携帯通信端末から取得した区間情報等を記録することができる。具体的にはＩＣ乗車券の識別番号（乗車券ＩＤ）と乗車区間の駅、路線、経由などを記録することができる。ＩＣ乗車券が定期券であれば、氏名、年齢などの所有者情報を含む情報を合わせて記憶させておくこともできる。また、乗車券情報の送信元であり遅延情報の送信先である携帯通信端末の端末ＩＤを合わせて記録保存することができる。
なお、これらの情報は一時的に記憶してもよいし、履歴として長期保存してもよい。
【００３０】
遅延情報としては、例えば図６に示すように、遅延の発生した路線、遅延区間、遅延理由、復旧見込みなどの情報があげられる、携帯通信端末の表示手段によりこのデータを表示することができる。
また、代替経路を表示する場合は、代替経路の経路を合わせて表示することができる。
また、遅延が発生しているＩＣ乗車券の区間情報の経路に要する推定所要時間や代替経路の経路に要する代替経路推定所要時間を合わせて表示することができる。
【００３１】
遅延情報データベースは、交通機関に遅延が生じたときに、遅延が発生した日時、路線及び区間、遅延時間、遅延原因、復旧見込等が記録されている。
例えば一例として、図７に示すように、遅延発生日時、区間、路線、遅延時間などが記録されている。
【００３２】
また、遅延原因が解消した場合、管理サーバは遅延情報データベースから遅延解消情報を取得し、携帯通信端末に送信することができる。具体的には、例えば定期的に管理サーバから遅延情報データベースに確認しにいき、取得した遅延情報が消去されていたら遅延解消とみなして携帯通信端末に遅延解消情報を送信することができる。また、遅延情報データベースに取得した遅延情報が解消したという情報が登録されていた場合、この情報を遅延解消とみなして携帯通信端末に遅延解消情報を送信することができる。
なお、遅延情報データベースは管理サーバと一体となっていてもよい。
【００３３】
次に図８を参照しながら本発明の遅延証明表示システムの流れの一例を示す。
図８において、まず携帯通信端末はＩＣ乗車券から区間情報を取得する。具体的にはＩＣ乗車券がＩＣカードである場合、携帯通信端末とＩＣカードの近接通信により携帯通信端末は区間情報を取得することができ、ＩＣ乗車券が携帯通信端末内に記録されたＩＣ乗車券である場合、内部の通信により区間情報を取得することができる。
【００３４】
携帯通信端末は区間情報を取得したら管理サーバに遅延情報要求と共に区間情報を送信する。
管理サーバでは区間情報と遅延情報要求を要求したら遅延情報データベースに受信した区間情報に対応する遅延情報を確認しにいく。
遅延情報データベースでは、登録されている遅延情報を確認して取得したら管理サーバに送信する。なお、遅延がない場合は遅延情報として遅延なしという情報を送信する。
【００３５】
管理サーバでは遅延情報を取得し、遅延がある場合、携帯通信端末の表示部で表示するための遅延情報を生成する。生成した遅延情報は携帯通信端末に送信し、携帯通信端末では受信した遅延証明書を表示部で表示する。
なお、遅延がない場合、遅延情報がない旨を携帯通信端末に送信し、携帯通信端末では遅延がない旨を表示することができる。なお、、携帯通信端末はなにも表示しなくてもよい。
【図１】
2015090517.tif 000003
【図２】
2015090517.tif 000004
【図３】
2015090517.tif 000005
【図４】
2015090517.tif 000006
【図５】
2015090517.tif 000007
【図６】
2015090517.tif 000008
【図７】
2015090517.tif 000009
【図８】
2015090517.tif 000010